(57)【要約】      （修正有）【課題】手頃で安価な、しかも高級感のあるＬＥＤ照明付き装飾板を提供する。【解決手段】剛体からなる背景ボード１１と、背景ボードに固定され、直列に接続された複数のＬＥＤ光源１２と、複数のＬＥＤ光源の前面を覆うように背景ボードに取り付けられた光拡散シート１３と、光拡散シートの前面に取り付けられ、光透過性を有する前景シート１４と、を備える。前景シートは、所望の模様が付され又は所望の形状に形成され、ＬＥＤ光源は、前景シートの模様又は形状の特異点を照射する位置に固定されている。【選択図】図１
0003208883.tif 000002
【実用新案登録請求の範囲】
【請求項１】
剛体からなる背景ボードと、
前記背景ボードに固定され、直列に接続された複数のＬＥＤ光源と、
前記複数のＬＥＤ光源の前面を覆うように前記背景ボードに取り付けられた光拡散シートと、
前記光拡散シートの前面に取り付けられ、光透過性を有する前景シートと、を備えたＬＥＤ照明付き装飾板。
【請求項２】
前記前景シートは、所望の模様が付され又は所望の形状に形成され、
前記ＬＥＤ光源は、前記前景シートの模様又は形状の特異点を照射する位置に固定されている請求項１に記載のＬＥＤ照明付き装飾板。
【請求項３】
前記背景ボードの、前記光拡散シートが取り付けられていない部分に、所望の図形、文字、模様その他の情報を付するスペースを有する請求項１又は２に記載のＬＥＤ照明付き装飾板。
【考案の詳細な説明】
【技術分野】
【０００１】
本考案は、ＬＥＤ照明付き装飾板に関するものである。
【背景技術】
【０００２】
パチンコ遊技盤の盤面を構成する装飾板において、透明シートと、この透明シートに沿いその裏面側から透光可能に形成されて図柄部を含む一側図柄層と、この一側図柄層に沿いその裏面側から形成されて所定の光強度以上の光を透過しこの所定の光強度未満の光を遮蔽する光学的遮蔽層と、この遮蔽層を介し前記一側図柄層に対向するように前記遮蔽層に沿いその裏面側から透光可能に形成されて他の図柄部を含む他側図柄層とを備えたものが知られている（特許文献１）。
【先行技術文献】
【特許文献】
【０００３】
【特許文献１】特開２０１０−２２８号公報
【考案の概要】
【考案が解決しようとする課題】
【０００４】
しかしながら、ハロウィンやクリスマスなどのシーズンに、店舗や家庭においてこうした祭事を祝う際のグッズとして、手頃で安価な、しかも高級感のある装飾板の開発が望まれている。
【０００５】
本考案が解決しようとする課題は、手頃で安価な、しかも高級感のあるＬＥＤ照明付き装飾板を提供することである。
【課題を解決するための手段】
【０００６】
本考案は、剛体からなる背景ボードと、前記背景ボードに固定され、直列に接続された複数のＬＥＤ光源と、前記複数のＬＥＤ光源の前面を覆うように前記背景ボードに取り付けられた光拡散シートと、前記光拡散シートの前面に取り付けられ、光透過性を有する前景シートと、を備えたＬＥＤ照明付き装飾板によって上記課題を解決する。
【０００７】
本考案の好ましい実施形態として、前記前景シートは、所望の模様が付され又は所望の形状に形成され、前記ＬＥＤ光源は、前記前景シートの模様又は形状の特異点を照射する位置に固定されている。また、前記背景ボードの、前記光拡散シートが取り付けられていない部分に、所望の図形、文字、模様その他の情報を付するスペースを有する。
【考案の効果】
【０００８】
本考案によれば、背景ボードに固定されたＬＥＤ光源が光拡散シートを介して前景シートを照明するので、手頃で安価な、しかも高級感のあるＬＥＤ照明付き装飾板を提供することができる。
【図面の簡単な説明】
【０００９】
【図１】本考案に係るＬＥＤ照明付き装飾板の一実施の形態を示す分解斜視図である。
【図２】図１の組立状態を示す斜視図である。
【図３】図２のIII-III線に沿う断面図である。
【考案を実施するための形態】
【００１０】
以下、本考案の一実施の形態を図面に基づいて説明する。図１は、本考案に係るＬＥＤ照明付き装飾板の一実施の形態を示す分解斜視図、図２は、図１の組立状態を示す斜視図、図３は、図２のIII-III線に沿う断面図である。本考案に係るＬＥＤ照明付き装飾板１は、特に限定はされないが、例えば、洋菓子店、レストランその他の各種店舗又は家庭において、ハロウィンやクリスマスなどのシーズンに、こうした祭事を祝う際のグッズとして用いられる。そのため、本実施形態のＬＥＤ照明付き装飾板１は、剛体からなる背景ボード１１と、背景ボード１１の前面に固定され、直列に接続された複数のＬＥＤ光源１２と、複数のＬＥＤ光源１２を覆うように背景ボード１１の前面に取り付けられた光拡散シート１３と、光拡散シートの前面に取り付けられ、光透過性を有する前景シート１４と、を備える。
【００１１】
背景ボード１１は、ＬＥＤ照明付き装飾板１の基板を構成する部材であり、アクリル樹脂、エポキシ樹脂などの樹脂板、木材、金属板など、剛性を有する材料で構成されている。このうち、文字や図柄などが容易に印刷でき、軽量な樹脂板や木材を用いることがより好ましい。背景ボード１１は、ＬＥＤ光源１２を所定位置に支持し、光拡散シート１３を支持するとともに、ＬＥＤ照明付き装飾板１を所望位置（壁や台）に取り付ける際の基板となるものである。したがって、その形状や色彩は特に限定されず、ＬＥＤ照明付き装飾板１の用途に応じて適宜の形状に形成され、適宜の色彩を付してよい。
【００１２】
本実施形態の背景ボード１１は、光拡散シート１３及び前景シート１４に比べて表面積が大きく形成され、光拡散シート１３及び前景シート１４が装着されない部分に、店舗の名称、祭事の名称、キャッチフレーズなど、所望の図形、文字、模様その他の情報を付するスペースＳが設けられている。これらの情報は、背景ボード１１に直接印刷したり、印刷されたフィルムを貼り付けたりすることで、背景ボード１１に付すことができる。
【００１３】
複数のＬＥＤ光源１２は、１本の電線１２１に直列に接続されている。この電線１２１の両端と、商業用交流電力に接続されるコンセントプラグ１２２及びコード１２３は、アダプタ１２４に接続され、アダプタ１２４により交流電力が直流電力に変換され、当該直流電力が電線１２１を介してＬＥＤ光源１２に供給される。アダプタ１２４には入切スイッチ１２５が設けられ、入切スイッチ１２５をＯＮするとＬＥＤ光源１２が点灯又は点滅し、ＯＦＦするとＬＥＤ光源１２が消灯する。
【００１４】
複数のＬＥＤ光源１２は、背景ボード１１の所定位置に間隔をおいて固定されている。特に限定はされないが、例えば前景シート１４に付された図柄、同図に示す例ではハロウィンのパンプキンお化けの目や口の位置を特に強く照明する位置にＬＥＤ光源１２が固定されている。これにより、ＬＥＤ光源１２からの光は、光拡散シート１３により拡散することで前景シート１４の全面を照明しつつ、パンプキンお化けの目や口などの特異点を特に強く照明することになる。その結果、前景シート１４に付された図柄を強調することができ、単に照明する装飾板に比べて高級感のある装飾板となる。
【００１５】
光拡散シート１３は、複数のＬＥＤ光源１２を覆うように背景ボード１１の前面に取り付けられ、光透過性と、自己形状を保持できる程度の厚さ（剛性）を有する。光拡散シート１３は、ＬＥＤ光源１２からの光を所望の方向へ拡散させるために、その表面及び／又は裏面が凹凸状とされている。こうした光拡散シート１３は、アクリル樹脂などの樹脂シートにより構成することができる。本実施形態の光拡散シート１３は、背景ボード１１に固定されたＬＥＤ光源１２に接触しない程度の隙間を介して背景ボード１１に固定されている。
【００１６】
前景シート１４は、光拡散シートの前面に取り付けられ、光透過性を有する、例えばアクリル樹脂などの樹脂シートにより構成されている。また本実施形態の前景シート１４は、同図に示すようにハロウィンのパンプキンお化けの図柄が付され、その上辺近傍はパンプキンお化けの形状に形成されている。前景シートへ１４への図柄の付与は、例えばシルクスクリーン印刷により行うことができる。
【００１７】
以上のとおり、本実施形態のＬＥＤ照明付き装飾板１によれば、背景ボード１１に固定されたＬＥＤ光源１２が光拡散シート１３を介して前景シート１４を照明するので、手頃で安価な、しかも高級感のあるＬＥＤ照明付き装飾板を提供することができる。このとき、例えばパンプキンお化けの目や口といった特異点をＬＥＤ照明が強調するので、光拡散シートを用いて万遍なく照明するものに比べて、面白味が増し、また高級感を付与することができる。また、背景ボード１１のスペースＳに、店舗の名称、祭事の名称、キャッチフレーズなど、所望の図形、文字、模様その他の情報を付すことができるので、単なる装飾だけでなく、情報発信源としての機能も発揮できる。
【符号の説明】
【００１８】
１…ＬＥＤ照明付き装飾板
１１…背景ボード
１２…ＬＥＤ光源
１２１…電線
１２２…コンセントプラグ
１２３…コード
１２４…アダプタ
１２５…入切スイッチ
１３…光拡散シート
１４…前景シート
【図１】
0003208883.tif 000003
【図２】
0003208883.tif 000004
【図３】
0003208883.tif 000005